(57)【要約】【課題】  本発明は、シリンダーロッドの伸縮により膝上げフレームの上動後に背上げフレームを上下動するようにしたベッドおよび介護ベッドの起倒装置において、ガタつきなど生ずることなくしてスムーズに安定して起倒する新規の起倒装置を提供するものである。【解決手段】  本発明は、背上げフレームと膝上げフレームを中央下のシリンダーロッドの伸縮により作動するリンク杆にて該膝上げフレームの上動後に背上げフレームを上下動するようにしたベッドおよび介護ベッドの起倒装置において、該リンク杆に円筒体または有端円筒体を設けてシリンダーロッドに密挿着し且つ２本のピンの横断挿着にて該シリンダーロッドとリンク杆を一体に連結固定して背上げフレームと膝上げフレームをガタつきなどの生ずることなしに常時円滑に安定して起倒するようにしたことを特徴とするベッドおよび介護ベッドの起倒装置にある。【選択図】  図１
2007185333.tif 000002
【特許請求の範囲】
【請求項１】
背上げフレームと膝上げフレームを中央下のシリンダーロッドの伸縮により作動するリンク杆にて該膝上げフレームの上動後に背上げフレームを上下動するようにしたベッドおよび介護ベッドの起倒装置において、該リンク杆に円筒体または有端円筒体を設けてシリンダーロッドに密挿着し且つ２本以上のピンの横断挿着にて該シリンダーロッドとリンク杆を一体に連結固定して背上げフレームと膝上げフレームをガタつきなどの生ずることなしに常時円滑に安定して起倒するようにしたことを特徴とするベッドおよび介護ベッドの起倒装置。
【発明の詳細な説明】
【技術分野】
【０００１】
この発明は、ベッドおよび介護ベッドの起倒装置、詳しくは背上げフレームと膝上げフレームを常時ガタつきなどを生ずることなしに安定して円滑に上下起倒するようにした装置に関するものである。
【背景技術】
【０００２】
本願の出願人は特願２００５−３７７６５２号を提案している。この出願ではベッドおよび介護ベッドにおいて台座上のマットを３つに分けて中間を挟んで背上げフレームと膝上げフレームを形成し、これらを中央下に集中して設ける機構により膝上げフレームの上動後に背上げフレームをタイミングよく上動してベッド上の人をずれ下らせずに起こし、また下動させるときも膝上げフレームを一旦上動してベッド上の人の膝下を当て止めしてずれ下らないようにしておいて背上げフレームを下動するということを記載している。
【特許文献１】特願２００５−３７７６５２号公報
【発明の開示】
【発明が解決しようとする課題】
【０００３】
しかしながら、上記の発明はシリンダーロッドとリンク杆（Ｖ形杆）の側面を接面させて両者に設ける連結孔に単一の枢軸を挿着して連結するにとどまるため、連結孔間の公差と１本の枢軸ということでシリンダーロッドの伸縮作動とＶ形杆の作動の間にタイムラグが生ずることがあって、シリンダーロッドの作動がスムーズにリンク杆に伝わらずして背上げフレームと膝上げフレームの上下起倒にガタつきが生じて円滑さを欠く場合がある。
【課題を解決するための手段】
【０００４】
本発明は、リンク杆の一半の側面に円筒体または有端の円筒体を取付けて、シリンダーロッドの先端部を該円筒体に密挿着し、さらに密挿着した両者の側面間に設ける２本の連結孔にそれぞれ止軸を挿着して止めるようにして、以ってシリンダーロッドとリンク杆を一体に連結し固定するようにして、シリンダーロッドの作動をリンク杆に忠実に伝達して背上げフレームと膝上げフレームを常時円滑に上下動するようにして、かかる課題を解消したのである。
【発明の効果】
【０００５】
本発明はリンク杆に円筒体または有端の円筒体を設けてシリンダーロッドに密挿嵌し、且つ２本並列するピンの横断挿着にて両者の間をガタつきが生じないように一体に固定したので、シリンダーロッドの伸縮作動はリンク杆にタイムラグなしに正確に伝達されて、背上げフレームと膝上げフレームを常時安定して円滑に上下起倒させるという効果を生ずる。
【発明を実施するための最良の形態】
【０００６】
背上げフレームと膝上げフレームを中央下のシリンダーロッドの伸縮に連動するリンク杆の作動にて膝上げフレームの上動後に背上げフレームを上下動するようにしたベッドおよび介護ベッドにおいて、該リンク杆に円筒体または有端の円筒体を形成してシリンダーロッドの先端部に密挿着し、さらに密挿着した両者を２本以上の並列ピンの横断挿着にて一体に固定してシリンダーロッドの伸縮作動とリンク杆にタイムラグなしに正確に伝達されるように構成するのである。
【実施例１】
【０００７】
介護ベッド１の台座２上を４区分して頭側を背上げフレーム３にして基軸４をもとに上下起倒するように形成し、足側の中間を膝上げフレーム５として基軸６をもとに上下起倒するように形成する。７は背上げフレーム３の下面より中央に向けて取付けた斜板で下端部にタイミング調整孔８を設けている。９は膝上げフレーム５の下面に取付けたロールである。台座２の中間に止点１０を有して中央部下に配設するシリンダー１１の先部のロッド１２はリンク杆１３を挟んで前記の斜板７のタイミング調整孔８に突子１４を嵌合して連結し、またリンク杆１３の中間部は摺動アーム１５の一端を枢着１６しており、摺動アーム１５の他端は往復動するカム１７の上端につながっている。カム１７の上端面と側面は前記のロール９に当接して往復動にて膝上げフレーム５を上下動するようにしている。
【０００８】
リンク杆１３のロッド１２側は側面に円筒体または有端キャップ形の円筒体１８を設けて、ロッド１２の先端部に密挿着し、さらに密挿着した両者の側面間に貫通して設ける２つの連結孔１９にそれぞれ同径のピン２０を密挿着して両者をガタつきが生じないように一体に固定する。
【０００９】
しかして、背上げフレーム３を上動すべくシリンダー１１を作動してロッド１２を伸張させると、リンク杆１３を挟んで摺動アーム１５がロッドの伸張方向に移動してカム１７を中心軸１７ａをもとに同方向に回動させて中央の上動曲面１７ｂにてロール９を上動させるため膝上げフレーム５は上動し、リンク杆１３の引続く移動にて突子１４がタイミング調整孔８の他端に当接することで膝上げフレーム５の上動後に背上げフレーム３は上動を開始することとなる。
【００１０】
つまり先に上動した膝上げフレーム５にて介護ベッド上にて寝ている人は膝部が上って腿の裏側がフレームに当って止められるため、ずれ下がることなくして背上げフレーム３の上動にて起こされることとなる。かようにしてずれ動きなどなしに安心して起き上げられることとなる。背上げフレーム３の上動が完了するとカム１７の側部の下動曲面１７ｃにてロール９は下動するので膝上げフレーム５は水平に戻って脚部を伸ばして楽にすることができる。
【００１１】
また、介護ベッド上の人を起き上がりから寝かせる時も、先づ膝上げフレーム５が上動して、ずれ下がりしないようにしてから背上げフレーム３の下動にて寝かされることとなる。
【産業上の利用可能性】
【００１２】
本発明の起倒装置は背上げフレームと膝上げフレームをガタつかせずに常に安定してスムーズに起倒することとなるので、一般のベッドから自宅療養用，病院等の介護用のベッドのすべてに広く利用することができるものである。
【図面の簡単な説明】
【００１３】
【図１】本発明の起倒装置を備えた介護ベッドの実施例を示す全体の側面図
【図２】（ａ）はリンク杆の円筒体にシリンダーロッドを挿着した部分の拡大断面図、（ｂ）は同、有端キャップ形の円筒体の例を示す断面図
【図３】ベッドの中央部分の拡大図
【図４】同、膝上げフレームが上動を開始した状態を示す拡大図
【図５】同、背上げフレームの上動開始を示す拡大図
【図６】同、背上げフレームの上動後に膝上げフレームを水平に戻した状態を示す拡大図
【符号の説明】
【００１４】
１は介護ベッド
２は台座
３は背上げフレーム
４は基軸
５は膝上げフレーム
６は基軸
７は斜板
８はタイミング調整孔
９はロール
１０は止点
１１はシリンダー
１２はロッド
１３はリンク杆
１４は突子
１５は摺動アーム
１６は枢着
１７はカム
１７ａは中心軸
１７ｂは中央の上動曲面
１７ｃは両側の下動曲面
１８は円筒体
１９は連結孔
２０はピン
【図１】
2007185333.tif 000003
【図２】
2007185333.tif 000004
【図３】
2007185333.tif 000005
【図４】
2007185333.tif 000006
【図５】
2007185333.tif 000007
【図６】
2007185333.tif 000008